(57)【要約】【課題】簡単な操作でデータを管理することができる携帯端末装置を提供することにある。【解決手段】操作部と、表示部と、フォアグラウンドで主アプリケーションを実行し、主アプリケーションの動作に関する画像を表示部に表示させつつ、バックグラウンドで副アプリケーションを実行している状態において、操作部に予め設定されたチェック操作が入力されると、入力時に副アプリケーションで処理を行っていたデータにフラグを付し、主アプリケーションの動作終了、または、副アプリケーションでのデータの処理を終了すると、フラグを付したデータに対して予め設定された設定処理を行う制御部と、を有することで、上記課題を解決する。【選択図】図１
2011147019.tif 000002
【特許請求の範囲】
【請求項１】
操作部と、
表示部と、
フォアグラウンドで主アプリケーションを実行し、当該主アプリケーションの動作に関する画像を前記表示部に表示させつつ、バックグラウンドで副アプリケーションを実行している状態において、前記操作部に予め設定されたチェック操作が入力されると、当該入力時に前記副アプリケーションで処理を行っていたデータにフラグを付し、
前記主アプリケーションの動作終了時、または、前記副アプリケーションでの前記データの処理を終了する際に、前記フラグを付したデータに対して予め設定された設定処理を行う制御部と、を有することを特徴とする携帯端末装置。
【請求項２】
前記制御部は、前記表示部に、前記副アプリケーションで作成される画像を、前記主アプリケーションの画像よりも小さい表示面積で共に表示させることを特徴とする請求項１に記載の携帯端末装置。
【請求項３】
他の機器と通信を行う通信部をさらに有し、
前記制御部は、前記副アプリケーションとしてメールアプリケーションを動作させている状態で、新規メールを受信すると、前記表示部に新規受信メールの一部を表示させ、
前記新規受信メールの一部の表示中にチェック操作が入力されると、当該新規受信メールにフラグを付すことを特徴とする請求項１または２に記載の携帯端末装置。
【請求項４】
前記制御部は、前記設定処理として、前記メールアプリケーションにより新規受信メールを表示する際、前記フラグが付された受信メールを、他の新規受信メールとは異なる表示方法で前記表示部に表示させる処理を行うことを特徴とする請求項３に記載の携帯端末装置。
【請求項５】
前記制御部は、前記設定処理として、前記フラグが付された新規受信メールのみを、既読にする、削除する、保護する、のいずれかの１つの処理を行うことを特徴とする請求項３または４に記載の携帯端末装置。
【請求項６】
前記制御部は、前記副アプリケーションとして、複数の音声ファイルデータを択一的に再生する音声再生アプリケーションを動作させている状態で、前記チェック操作が入力されると、再生中の音声ファイルデータにフラグを付すことを特徴とする請求項１または２に記載の携帯端末装置。
【請求項７】
前記制御部は、前記設定処理として、前記フラグが付された音声ファイルデータをリピート再生に設定する処理を行うことを特徴とする請求項６に記載の携帯端末装置。
【請求項８】
前記音声再生アプリケーションは、複数の音声ファイルデータを第１のデータ管理対象と、第２のデータ管理対象とに管理しており、
前記制御部は、前記設定処理として、前記フラグが付された音声ファイルデータが、前記第１のデータ管理対象であり前記第２のデータ管理対象でない場合に、前記第２の管理対象に含める処理を行うことを特徴とする請求項６または７に記載の携帯端末装置。
【請求項９】
前記制御部は、前記設定処理として、前記フラグが付された音声ファイルデータの記憶時の圧縮レートを変更する処理を行うことを特徴とする請求項６から８のいずれか１項に記載の携帯端末装置。
【請求項１０】
前記制御部は、前記チェック操作として、複数の操作種別を設定可能、かつ、前記設定処理として、複数の処理が設定可能であり、
前記操作部により入力されたチェック操作の操作種別に応じて、前記設定処理として、実行する処理を切り替えることを特徴とする請求項１から９のいずれか１項に記載の携帯端末装置。
【請求項１１】
前記制御部は、前記設定処理として、前記主アプリケーションの動作を終了して、待ち受け画面表示する際に、前記表示部に、前記フラグが付されたデータの処理に移行する項目を選択可能な状態で表示させる処理であることを特徴とする請求項１から１０のいずれか１項に記載の携帯端末装置。
【請求項１２】
操作部と、
表示部と、
フォアグラウンドで主アプリケーションを実行し、当該主アプリケーションの動作に関する画像を前記表示部に表示させつつ、バックグラウンドでメールアプリケーションを実行している状態において、前記操作部に予め設定されたチェック操作が入力されると、当該入力時に前記メールアプリケーションで処理を行っていたメールデータにフラグを付し、前記フラグを付したメールデータを削除する制御部と、を有することを特徴とする携帯端末装置。
【請求項１３】
前記制御部は、前記副アプリケーションの終了処理を行う際に、前記フラグを付したメールデータを削除することを特徴とする請求項１２に記載の携帯端末装置。
【発明の詳細な説明】
【技術分野】
【０００１】
本発明は、複数のアプリケーションを並列で実行する携帯端末装置に関する。
【背景技術】
【０００２】
近年、携帯電話機等の携帯端末装置は、種々のアプリケーションが使用可能となっている。そして、これらのアプリケーションで扱うデータの量、種類が多くなってきている。そのため、データの管理方法の１つとして、これらのアプリケーションからユーザに情報を通知する方法として待ち受け画面にショートカットを表示させる方法が提案されている。
【０００３】
例えば、特許文献１に記載の情報処理装置は、ショートカット機能よりも優先度が高い未確認情報を指示する第１の指示情報、ショートカット機能を指示する第２の指示情報、およびショートカット機能よりも優先度が低い未確認情報を指示する第３の指示情報を液晶ディスプレイに表示するよう構成されている。情報処理装置は、このようにショートカット機能を基準として、優先度が高いか低いかを予め設定しておき、その設定に基づいて指示情報の表示を制御することで、未確認情報を効率よく表示させている。
【先行技術文献】
【特許文献】
【０００４】
【特許文献１】特開２００８−１４６３２６号公報
【発明の概要】
【発明が解決しようとする課題】
【０００５】
しかしながら、特許文献１に記載の方法は、予め設定した優先度で表示部に表示させるため、ショートカットよりも優先的に表示、操作することはできるが、優先順位を予め設定する必要があるため、ユーザにとって煩雑にもなる。
【０００６】
本発明は、上記に鑑みてなされたものであって、データの管理を簡単な操作で行うことができる携帯端末装置を提供することを目的とする。
【課題を解決するための手段】
【０００７】
上述した課題を解決し、目的を達成するために、本発明は、操作部と、表示部と、フォアグラウンドで主アプリケーションを実行し、当該主アプリケーションの動作に関する画像を前記表示部に表示させつつ、バックグラウンドで副アプリケーションを実行している状態において、前記操作部に予め設定されたチェック操作が入力されると、当該入力時に前記副アプリケーションで処理を行っていたデータにフラグを付し、前記主アプリケーションの動作終了時、または、前記副アプリケーションでの前記データの処理を終了する際に、前記フラグを付したデータに対して予め設定された設定処理を行う制御部と、を有することを特徴とする。
【０００８】
ここで、前記制御部は、前記表示部に、前記副アプリケーションで作成される画像を、前記主アプリケーションの画像よりも小さい表示面積で共に表示させることが好ましい。
【０００９】
また、他の機器と通信を行う通信部をさらに有し、前記制御部は、前記副アプリケーションとしてメールアプリケーションを動作させている状態で、新規メールを受信すると、前記表示部に新規受信メールの一部を表示させ、前記新規受信メールの一部の表示中にチェック操作が入力されると、当該新規受信メールにフラグを付すことが好ましい。
【００１０】
また、前記制御部は、前記設定処理として、前記メールアプリケーションにより新規受信メールを表示する際、前記フラグが付された新規受信メールを、他の新規受信メールとは異なる表示方法で前記表示部に表示させる処理を行うことが好ましい。
【００１１】
また、前記制御部は、前記設定処理として、前記フラグが付された新規受信メールのみを、既読にする、削除する、保護する、のいずれかの１つの処理を行うことも好ましい。
【００１２】
また、前記制御部は、前記副アプリケーションとして、複数の音声ファイルデータを択一的に再生する音声再生アプリケーションを動作させている状態で、前記チェック操作が入力されると、再生中の音声ファイルデータにフラグを付すことも好ましい。
【００１３】
また、前記制御部は、前記設定処理として、前記フラグが付された音声ファイルデータをリピート再生に設定する処理を行うことが好ましい。
【００１４】
また、前記音声再生アプリケーションは、複数の音声ファイルデータを第１のデータ管理対象と、第２のデータ管理対象とに管理しており、前記制御部は、前記設定処理として、前記フラグが付された音声ファイルデータが、前記第１のデータ管理対象であり前記第２のデータ管理対象でない場合に、前記第２の管理対象に含める処理を行うことが好ましい。
【００１５】
また、前記制御部は、前記設定処理として、前記フラグが付された音声ファイルデータの記憶時の圧縮レートを変更する処理を行うことが好ましい。
【００１６】
また、前記制御部は、前記チェック操作として、複数の操作種別を設定可能、かつ、前記設定処理として、複数の処理が設定可能であり、前記操作部により入力されたチェック操作の操作種別に応じて、前記設定処理として、実行する処理を切り替えることが好ましい。
【００１７】
また、前記制御部は、前記設定処理として、前記主アプリケーションの動作を終了して、待ち受け画面表示する際に、前記表示部に、前記フラグが付されたデータの処理に移行する項目を選択可能な状態で表示させる処理であることが好ましい。
【００１８】
上述した課題を解決し、目的を達成するために、本発明は、操作部と、表示部と、フォアグラウンドで主アプリケーションを実行し、当該主アプリケーションの動作に関する画像を前記表示部に表示させつつ、バックグラウンドでメールアプリケーションを実行している状態において、前記操作部に予め設定されたチェック操作が入力されると、当該入力時に前記メールアプリケーションで処理を行っていたメールデータにフラグを付し、前記フラグを付したメールデータを削除する制御部と、を有することを特徴とする。
【００１９】
ここで、前記制御部は、前記副アプリケーションの終了処理を行う際に、前記フラグを付したメールデータを削除することが好ましい。
【発明の効果】
【００２０】
本発明にかかる携帯端末装置は、簡単な操作でデータを管理することができるという効果を奏する。
【図面の簡単な説明】
【００２１】
【図１】図１は、本発明の携帯端末装置の一例である携帯端末装置の一実施形態の概略構成を示す正面図である。
【図２】図２は、図１に示す携帯端末装置の機能の概略構成を示すブロック図である。
【図３】図３は、携帯端末装置の処理動作の一例を示すフロー図である。
【図４】図４は、携帯端末装置の動作を説明するための説明図である。
【図５】図５は、携帯端末装置の動作を説明するための説明図である。
【図６】図６は、携帯端末装置の動作を説明するための説明図である。
【図７】図７は、携帯端末装置の動作を説明するための説明図である。
【図８】図８は、携帯端末装置の動作を説明するための説明図である。
【図９】図９は、携帯端末装置の動作を説明するための説明図である。
【発明を実施するための形態】
【００２２】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯端末装置の一例である携帯電話機を例として説明するが、本発明の適用対象は携帯電話機に限定されるものではなく、例えば、ＰＨＳ（Personal Handyphone System）、ＰＤＡ、ポータブルカーナビゲーション装置、ポータブルゲーム機等に対しても本発明は適用できる。
【００２３】
図１は、本発明の携帯端末装置の一実施形態の概略構成を示す正面図である。携帯端末装置１は、無線通信機能を備えた携帯電話機である。携帯端末装置１は、筐体１Ｃが第１筐体１ＣＡと第２筐体１ＣＢとで開閉可能に構成された、折り畳み式の携帯電話機である。なお、図１は、携帯端末装置１を開いた状態である。
【００２４】
第１筐体１ＣＡには、表示部として、図１に示すメインディスプレイ２Ｍが設けられる。メインディスプレイ２Ｍは、所定の画像として、携帯端末装置１が受信を待機している状態のときに待ち受け画面を表示したり、携帯端末装置１の操作を補助するために用いられるメニュー画像を表示したりする。また、図１に示すように、第１筐体１ＣＡには、携帯端末装置１の通話時に音声を発するレシーバ６が設けられている。
【００２５】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。なお、操作キー３及び方向及び決定キー４は、携帯端末装置１の操作部２８（図２参照）を構成する。また、第２筐体１ＣＢには、携帯端末装置１の通話時に音声を受け取るマイク５が設けられる。
【００２６】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末装置１が開き、第１筐体１ＣＡと第２筐体１ＣＢとが互いに接近する方向に回動すると携帯端末装置１が閉じる。
【００２７】
次に、携帯端末装置１の機能と制御部との関係を説明する。図２は、図１に示す携帯端末装置の機能の概略構成を示すブロック図である。図２に示すように携帯端末装置１は、主制御部２２と、記憶部２４と、通信部２６と、操作部２８と、音声処理部３０と、表示部３２と、表示制御部３３と、を有する。
【００２８】
主制御部２２は、携帯端末装置１の全体的な動作を統括的に制御する処理部、例えばＣＰＵ（Central Processing Unit）である。すなわち、携帯端末装置１の各種の処理が、操作部２８の操作や携帯端末装置１の記憶部２４に保存されるソフトウェアに応じて適切な手順で実行されるように、通信部２６、表示部３２等の動作を制御する。主制御部２２は、記憶部２４に保存されているプログラム（例えば、オペレーティングシステムプログラム、アプリケーションプログラム等）に基づいて処理を実行する。また、主制御部２２は、複数のプログラム（アプリケーション、ソフトウェア）を並列で実行することができる。
【００２９】
記憶部２４には、主制御部２２での処理に利用されるアプリケーションのプログラムやデータが保存されている。具体的には、アプリケーションのプログラムとして、インターネット通信を行うアプリケーションのプログラムや、メールの送受信を行うアプリケーションのプログラム、音声データの再生を行うアプリケーションプログラム、発信、着信、通話処理を行うアプリケーションのプロフラム、テレビ放送受信処理を行うアプリケーションのプログラム等が保存されている。また、データとしては、画像データ、音声データ、文字変換のための辞書データ、アドレス帳データ等が記憶されている。
【００３０】
また、記憶部２４は、データの保存、読み取りが可能な外部記憶装置（媒体）２９と接続可能であり、主制御部２２の制御に基づいて、データを外部記憶装置２９に記憶させる。また、主制御部２２は、外部記憶装置２９に記憶されているデータを読み出し、読み出したデータを主制御部２２に送る。
【００３１】
通信部２６は、基地局によって割り当てられるチャネルを介し、基地局との間でＣＤＭＡ方式などによる無線信号回線を確立し、基地局との間で電話通信及び情報通信を行う。また、通信部２６は、テレビ放送を受信するアンテナや、ＧＰＳ信号を受信するアンテナも備える。
【００３２】
操作部２８は、例えば、電源キー、通話キー、数字キー、文字キー、方向キー、決定キー、発信キーなど、各種の機能が割り当てられた操作キー３と、方向及び決定キー４とで構成され、これらのキーがユーザの操作により入力されると、その操作内容に対応する信号を発生させる。そして、発生した信号は、ユーザの指示として主制御部２２へ入力される。また、操作部２８は、筐体を閉じても露出する筐体側面に、サイドキー２８１（特定キー）を備える。
【００３３】
音声処理部３０は、マイク５に入力される音声信号やレシーバ６から出力される音声信号の処理を実行する。
【００３４】
表示部３２は、液晶ディスプレイ（ＬＣＤ、Liquid Crystal Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３５】
次に、携帯端末装置１の動作、操作部２８に入力される操作と、主制御部２２における処理について説明する。ここで、図３は、携帯端末装置の処理動作の一例を示すフロー図である。
【００３６】
まず、携帯端末装置１の主制御部２２は、ステップＳ１２として、主アプリケーションの起動指示を検出したら、主アプリケーションを起動させる。ここで、主アプリケーションとは、フォアグラウンドで実行させるアプリケーションである。また、起動指示には、ユーザが操作部２８を操作することで入力される指示や、予め入力されている設定に基づいて主制御部２２で算出される指示、通信部２６を介して基地局から入力される指示等がある。なお、主制御部２２は、主アプリケーションとして種々のアプリケーションを起動させることができる。
【００３７】
その後、主制御部２２は、ステップＳ１４として、起動させた主アプリケーションを実行する。具体的には、主制御部２２は、操作部２８や通信部２６を介して入力された指示に基づいて、アプリケーションを処理し、主アプリケーションを実行することで作成された画面を表示部３２に表示させる。つまり、例えば、主アプリケーションとしてメールを送受信するアプリケーション（以下、「メールアプリケーション」ともいう。）を実行している場合は、操作部２８を介して入力された指示に基づいて、文章作成処理、宛て先指定処理、メール表示処理を行い、表示部３２には、メール作成画面や、受信メール表示画面を表示させる。また、テレビ放送を受信するアプリケーションを実行している場合は、操作部２８に入力された指示に基づいて、チャンネルの切り替え処理、音量調整処理等を行い、表示部３２には、通信部２６を介して取得したテレビ放送の画像を表示させ、スピーカ等からテレビ放送の音声を出力させる。また、音声ファイルデータを再生させるアプリケーション（以下、「音声再生アプリケーション」ともいう。）を実行している場合は、入力された指示に基づいて、指定された音声ファイルデータを再生させたり、早送り再生させたり、巻き戻しさせたりする。
【００３８】
次に、主制御部２２は、主アプリケーションを実行させつつ、ステップＳ１６として、副アプリケーションの起動指示があるかを判定する。ここで、副アプリケーションとは、バックグラウンドで実行させるアプリケーションであり、主アプリケーションが実行されている状態で、起動される２つ目以降のアプリケーションである。また、副アプリケーションの起動指示も、主アプリケーションの起動指示と同様に種々の方法の起動指示が例示される。また、副アプリケーションは、処理がバックグラウンドで行われるが、上述した主アプリケーションと同様のアプリケーションを実行することができる。
【００３９】
なお、本実施形態では、主アプリケーションを先に起動させ、副アプリケーションを後に起動させる例としたが、これに限定されない。つまり、アプリケーションの実行順序は特に限定されず、例えば、副アプリケーションを先に実行し、主アプリケーションを後に実行してもよい。例えば、音声再生アプリケーションの実行中に、他のアプリケーションが実行されたら、音楽再生アプリケーションを副アプリケーションとして、音楽再生を継続し、他のアプリケーションを主アプリケーションとして起動させても良い。また、２つ目のアプリケーションが起動されたことを検出したら、主アプリケーションを選択する設定とし、選択されなかったアプリケーションを副アプリケーションとして実行するようにしてもよい。また、アプリケーションの種類によって、自動的に主アプリケーションと副アプリケーションを設定するようにしてもよい。
【００４０】
主制御部２２は、ステップＳ１６で起動指示なし（Ｎｏ）と判定したら、ステップＳ３０に進む。また、主制御部２２は、ステップＳ１６で起動指示あり（Ｙｅｓ）と判定したら、ステップＳ１８として、ステップＳ１６で起動指示が入力されたアプリケーションを副アプリケーションとして起動させる。その後、主制御部２２は、ステップＳ２０として、起動させた副アプリケーションを実行する。なお、副アプリケーションは、主制御部２２により、バックグラウンドで実行されるため、基本的には、通信部２６を介して入力された指示、また起動時に入力された指示に基づいて、副アプリケーションを処理する。また、必要に応じて、表示部３２の一部に画面を表示させる。
【００４１】
主制御部２２は、ステップＳ２０で副アプリケーションを実行させつつ、ステップＳ２２として、特定操作があるかを判定する。つまり、予め設定されている特定の操作が検出されたかを判定する。ここで、特定操作とは、主アプリケーションの起動中であっても副アプリケーションの操作として検出する操作である。
【００４２】
主制御部２２は、ステップＳ２２で特定操作あり（Ｙｅｓ）と判定したら、ステップＳ２４として、処理中のデータにフラグを付加する。具体的には、特定操作の入力時に副アプリケーションで処理していたデータに対して、フラグを付加する。主制御部２２は、ステップＳ２４でフラグを付加したら、ステップＳ２６に進む。また、主制御部２２は、ステップＳ２２で特定操作なし（Ｎｏ）と判定したら、ステップＳ２６に進む。
【００４３】
また、主制御部２２は、ステップＳ２４の処理を行ったら、またはステップＳ２２でＮｏと判定されたら、ステップＳ２６として、副アプリケーションの終了指示があるかを判定する。ここで、操作部２８の操作入力は、特定操作を除いて、主アプリケーションの操作に割り当てられている。そのため、副アプリケーションの終了指示は、基本的に、副アプリケーションによるデータの処理が完了したら、主制御部２２が自動的に入力する。
【００４４】
主制御部２２は、ステップＳ２６で終了指示なし（Ｎｏ）と判定したら、ステップＳ２０に進み、ステップＳ２０からの処理を繰り返す。また、主制御部２２は、ステップＳ２６で終了指示あり（Ｙｅｓ）と判定したら、ステップＳ２８として、副アプリケーションの終了処理を行い、副アプリケーションを終了させる。
【００４５】
次に、主制御部２２は、ステップＳ２８の処理を行ったら、またステップＳ１６でＮｏと判定されたら、ステップＳ３０として、主アプリケーションの終了指示があるかを判定する。なお、終了指示は、操作部２８への操作により入力されたり、設定等に応じて、主制御部２２により自動的に入力されたりする。
【００４６】
主制御部２２は、ステップＳ３０で終了指示なし（Ｎｏ）と判定したら、ステップＳ１４に進み、ステップＳ１４からの処理を繰り返す。また、主制御部２２は、ステップＳ３０で終了指示あり（Ｙｅｓ）と判定したら、ステップＳ３２として、主アプリケーションの終了処理を行い、主アプリケーションを終了させる。
【００４７】
主制御部２２は、ステップＳ３２で主アプリケーションを終了させたら、ステップＳ３４として、フラグを付したデータの処理を行う。つまり、副アプリケーションでの処理されたデータのうち、ステップＳ２４でフラグを付加したデータに対して、予め設定された設定処理を行う。なお、設定処理については、後ほど説明する。
【００４８】
また、主制御部２２は、ステップＳ３４でフラグを付したデータの処理を行ったら、ステップＳ３６として、待ち受け画面を表示させて、処理を終了する。なお、主制御部２２は、ステップＳ３４のフラグを付したデータの処理の際には、必要に応じてアプリケーション（例えば副アプリケーション）を起動させて、処理を行う。
【００４９】
次に、表示部３２の画面の遷移の具体例を用いて、携帯端末装置１の動作を説明する。ここで、図４は、携帯端末装置の動作を説明するための説明図である。なお、図４には、副アプリケーションとしてメールアプリケーションを用いた場合の例を示す。また、特定操作としては、サイドキー２８１などの特定キーの押下が設定されている。
【００５０】
まず、主アプリケーションと副アプリケーションがいずれも起動されていない状態では、図４の画面５０ａに示すように、待ち受け画面が表示される。この状態で、主アプリケーションが起動され、実行されると、つまり、ステップＳ１２、ステップＳ１４の処理が行われると、画面には、主アプリケーションの画像が表示される。さらに、副アプリケーションが起動され、実行されると、つまり、ステップＳ１８、ステップＳ２０の処理が実行されると、画面５０ｂに示すように、表示領域５２に主アプリケーションの画像が表示され、表示領域５４に副アプリケーションの画像が表示される。ここで、表示領域５４は、表示領域５２よりも小さい画像領域であり、本実施形態では、一行分の文字が表示可能な領域である。
【００５１】
副アプリケーションとして起動されるメールアプリケーションは、通信部２６を介して受信したメールの着信情報を起動指示として、起動される。メールアプリケーションは、起動された後、受信したメールの情報を、表示領域５４にスクロール表示する。具体的には、メールの差出人の登録名、またはアドレス、件名、メール本文の一定文字数分を表示領域５４に矢印方向にスクロールさせて表示させる。
【００５２】
画面５０ｂに示す状態で、特定操作、つまり特定キーが押下されなかった場合、つまり、ステップＳ２２でＮｏと判定した場合は、表示領域５４へのメールの表示動作が終了したら、副アプリケーションを終了させる（ステップＳ２８の処理）。その後、主制御部２２は、主アプリケーションも終了させる（ステップＳ３２の処理）と、画面５０ｃに示すように、待ち受け画面を表示させる（ステップＳ３６）。なお、特定操作が検出されていないため、主制御部２２は、ステップＳ３４では処理の対象となるデータはないと判定して、ステップＳ３４の処理を終了して、ステップＳ３６に進む。ここで、ステップＳ３６で待ち受け画面が表示された画面５０ｃには、主アプリケーションの実行中に受信した新着のメールがあることを示す、受信したメールの情報も項目５６ａとして表示される。なお、本実施形態では、不在着信もある場合としているため、項目５６ａには、不在着信があった旨を示す情報も表示されている。以下の各実施形態でも同様に不在着信があったものとする。
【００５３】
これに対して、画面５０ｂに示す画像が表示されている状態で、特定操作、つまり特定キーが押下された場合、つまり、ステップＳ２２でＹｅｓと判定した場合は、表示領域５４へのメールの表示動作が終了したら、副アプリケーションを終了させる（ステップＳ２８の処理）。その後、主アプリケーションも終了させる（ステップＳ３２）と、フラグを付したデータの処理を行う。具体的には、表示領域５４に内容を表示させている間に特定キーが押下されたメールにフラグが付加されており、このフラグが付加された新規受信メールを他の新規受信メールとは区別して処理を行う。主制御部２２は、ステップＳ３４の処理を行ったら、画面５０ｄに示すように、待ち受け画面を表示させる（ステップＳ３６）。
【００５４】
ここで、ステップＳ３６で待ち受け画面が表示された画面５０ｄには、主アプリケーションの実行中に受信した新着のメールがあることを示す、受信したメールの情報が項目５６ａとして表示されているのに加え、フラグを付したデータがあることを示すチェックしたメールの情報が項目５６ｂとして表示される。つまり、ユーザが特定操作を入力したメールを他のメールとは区別して別の項目５６ｂとして表示させる。なお、項目５６ａ、項目５６ｂはともに操作により選択可能な項目、つまりショートカットキーとなっている。また、画面５０ｄは、メールを２件新規に受信し、そのうち１件のメールのデータの表示中に特定操作を入力した場合の画面である。
【００５５】
また、画面５０ｄに表示された項目５６ｂがユーザの操作により選択されたら、主制御部２２は、画面５０ｅに示すように、チェックしたメールを操作する操作画面を表示部３２に表示させる。なお、操作画面としては、メールの内容確認、返信する、保護する、削除する等のメール操作項目が選択可能な画面が表示される。なお、その後、主制御部２２は、「内容確認」が選択されたら、チェックしたメールの内容を表示させる。また、主制御部２２は、「返信する」が選択されたら、宛て先と引用文が記入された状態でメール作成画面が表示される。また、主制御部２２は、「保護する」が選択されたら、チェックしたメールを保護設定する。また、主制御部２２は、「削除する」が選択されたら、チェックしたメールを削除する。
【００５６】
このように、携帯端末装置１は、副アプリケーションの実行時に、特定操作が入力されたら、その実行時に処理されているデータに対して、フラグを付しておき、フラグを付したデータに他のデータとは別の処理を行う。これにより、ユーザは、主アプリケーションの操作中であって、副アプリケーションの操作をすぐに行わない場合であっても、目印を付加することができる。このため、副アプリケーションのデータの処理時に、再びデータの選別を行う手間を少なくすることができ、データの管理を容易にすることができる。
【００５７】
具体的には、図４に示すように副アプリケーションとしてメールアプリケーションを実行させている場合は、返信が必要なメールに対して、チェックを付すことで、他のメールとは、区別しておくことができ、返信し忘れることを抑制することができる。また、本実施形態のように、待ち受け画面に選択可能なショートカットキーを表示させることで、その項目を選択するのみで、チェックした（特定操作を入力した）メールの処理画面に移行することができる。
【００５８】
また、特定操作を入力するのみで、データの選別ができるため、主アプリケーションの操作中であっても、簡単に処理を行うことができる。なお、特定操作は、主アプリケーションの操作には割り当てられていない入力操作（キー操作）である。
【００５９】
なお、上記実施形態では、フラグを付したデータの処理（ステップＳ３４の処理）を、主アプリケーションの終了処理（ステップＳ３２の処理）後に行ったが、本発明はこれに限定されず、データにフラグを付した（ステップＳ２４の処理）すぐ後に行っても、副アプリケーションの終了処理（ステップＳ２８の処理）の際に行ってもよい。また、上記実施形態では、副アプリケーションを終了させた後、主アプリケーションの終了指示があるかを判定するようにしたが、副アプリケーションの実行中（終了指示がない場合）にも、主アプリケーションの終了指示があるかを判定するようにしてもよい。また、副アプリケーションの実行中に、主アプリケーションの終了指示を検出したら、主アプリケーションの実行を終了し、主アプリケーションの画像を表示させる領域に待ち受け画面を表示させても良いし、副アプリケーションを主アプリケーションとして実行させる設定に切り替えるようにしてもよい。
【００６０】
また、図４に示す例では、項目５６ａを指定して、メール操作画面に移行しても特定操作を入力したメールを処理できるようにするため、項目５６ａと項目５６ｂの両方に、特定操作を入力したメールが含まれるようにしたが、これに限定されない。つまり、特定操作が入力されたメールは、他のメールとは、別の処理のみで処理するようにしてもよい。
【００６１】
また、上記実施形態では、操作が簡単となり、ユーザの選択性も高くすることができるため、フラグを付したデータを待ち受け画面に別項目として表示させたが、本発明はこれに限定されない。フラグを付したデータを他のデータとは区別して処理すればよく、例えば、主アプリケーションが終了したら、すぐにフラグを付したデータの処理画面に移行するようにしてもよい。また、副アプリケーションを主アプリケーションとして実行する際に、特定操作が入力されたことを示す記号を付して表示させるようにしてもよい。
【００６２】
ここで、図４に示す例では、副アプリケーションの実行中に特定操作を入力したデータ（メール）が１つである場合としたが、複数のデータに対して、特定操作を入力してもよい。以下、図５を用いて説明する。ここで、図５は、携帯端末装置の動作を説明するための説明図である。まず、画面５０ｂに示すように、主アプリケーションと副アプリケーションの両方の実行中に、５件のメールを受信し、そのうち、３件のメールに対して特定操作が入力される。この状態で、主アプリケーションと副アプリケーションが終了されると、待ち受け画面となる画面５０ｆには、メールを５件受信した旨を示す項目５８ａと、特定操作を入力した（チェックした）メールが３件あること示す項目５８ｂとが表示される。なお、項目５８ａ、項目５８ｂはともに操作により選択可能な項目となっている。
【００６３】
項目５８ａと項目５８ｂとを含む画面５０ｆが表示されている状態で、チェックされたメール、つまり、項目５８ｂが選択されると、主制御部２２は、画面５０ｇに示すように、チェックしたメールを操作する操作画面を表示部３２に表示させる。なお、操作画面としては、上述した画面５０ｅと同様に、メールの内容確認、返信する、保護する、削除する等のメール操作項目が選択可能な画面が表示される。
【００６４】
画面５０ｇに表示された選択項目のうち、内容確認が選択されると、主制御部２２は、チェックされたメールを選択する画面５０ｈを表示部３２に表示させる。つまり、チェックされた３件のメールのうち、内容を表示させるメールの選択画面を表示させる。この状態で、メールが選択されたら、主制御部２２は、選択されたメールの内容を表示させ、ユーザが内容を確認できる状態とする。
【００６５】
このように、複数件のメール（データ）に特定操作が入力され、フラグを付した場合でも、他のメールと区別できるため、ユーザが気づいたときに適切にメール（データ）を選別することができ、メール（データ）の管理をより簡単にすることができる。
【００６６】
なお、選択されたメールの表示処理が終了したら、別のチェックされたメールの内容を確認できるようにすることが好ましい。これにより、チェックしたメールのみを連続して、かつ、メールボックスで選択することなく、内容を確認することができる。なお、「返信する」を選択した場合も同様の処理を行うことが好ましい。
【００６７】
また、メールの種類が複数ある場合、例えば、ウェブメールと、キャリア特有の案内通知メール等が受信可能な場合は、そのメールの種類毎に、別々に項目を表示させるようにしてもよい。
【００６８】
次に、図６を用いて、チェックメールを削除する場合について説明する。ここで、図６は、携帯端末装置の動作を説明するための説明図である。まず、図５に示す画面５０ｇに移行する操作までは、上述と同様の処理を行う。これにより、表示部３２には、画面６０ａに示すように、チェックしたメールを操作する操作画面が表示される。この画面６０ａが表示されている状態で、削除する項目が選択されると、主制御部２２は、表示部３２に削除するメールを選択する画面６０ｂを表示させる。なお、画面６０ｂでは、画面６０ｂに表示されている３件のメールのうち一番下のメールが選択されており、チェックが表示される。
【００６９】
削除するメールの選択が終了し、決定ボタンが入力されると、主制御部２２は、画面６０ｃに示すように、確認画面を表示部３２に表示させる。つまり、主制御部２２は、選択したメールを削除してもよいかをユーザに確認する画面を表示させる。その後、ユーザにより削除の確定の操作（Ｙｅｓの項目の選択指示）が入力されると、主制御部２２は、選択されたメールの削除操作を行い、削除が終了したら、画面６０ｄに示すように、削除が完了した旨を示す画像を含む画面を表示部３２に表示させる。
【００７０】
このように、チェックしたメールを削除できることで、迷惑メール等、基本的に内容を確認しないメールを表示領域５４に表示させている間に特定操作を入力し、他のメールと区別しておき、迷惑メール等を一括で削除することが可能となる。このように、削除処理も可能とすることで、不要と判断したメールを他のメールと区別しておき、不要メールを一括で削除することができる。これにより、重要度の高いデータだけではなく、重要度が低いデータの選別に対しても有効に利用することができ、データの管理を容易にすることができる。
【００７１】
ここで、上記実施形態では、チェックしたメールを操作するための選択肢を待ち受け画面に表示させ、選択肢が選択されたら、チェックしたメールに行う操作を選択するようにしたが、処理はこれに限定されない。つまり、フラグを付したデータに対する処理の方法は特に限定されない。例えば、予め設定された処理に即時移行するようにしてもよい。具体的には、チェックしたメールの項目が選択されたら、返信作成画面に移行するようにしてもよく、また、すぐにメールの消去画面に移行するようにしてもよい。また、フラグを付したメールは、既読にしたりしてもよい。また、副アプリケーションまたは主アプリケーションの終了時に、フラグを付されたデータを削除したりしても良い。
【００７２】
なお、上記実施形態では、選択肢から選択してメールを削除する例を説明したが、フラグを付したデータの対する処理として削除処理を設定してもよい。つまり、特定操作が入力されフラグが付されたメールは、主アプリケーションの終了時、または、副アプリケーションの終了の際に、受信メールから削除するようにしてもよい。これにより、ユーザは、メールの受信時に特定操作を入力するのみで、その後操作を入力しなくとも、削除することができる。これにより、特定操作を入力するのみで、受信時に一部の内容が表示されるだけで、不要と判断ができるメール、例えば、スパムメールなどを削除することができる。これにより、不要なメールを複数回見たり、選択処理をしたりする必要がなくなり、ユーザに対する作業負荷、心理的負荷（スパムメールを複数回見たり、削除するために選択したりするストレス）を少なくすることができる。
【００７３】
ここで、メールの削除処理は、ユーザの操作が必要なく、かつ、対応するアプリケーションを起動して実行する必要がある。このため、主制御部２２は、例えば、副アプリケーションの終了の際に削除処理を行う場合、終了指示が入力されたことを検出したら、フラグが付されたメールの削除処理を行ってから、副アプリケーションを終了させる。このように副アプリケーションの終了の際、具体的には副アプリケーションを終了する直前に、フラグを付したデータに対する処理を行うことで、フラグを付したデータを処理するために副アプリケーションを再度起動させる必要がなくなる。これにより、データの処理を円滑に行うことができる。また、メールの削除処理は、ユーザの操作が必要ないため、削除処理を行うタイミングは、いつでもよいが、予め設定されたタイミングに処理を行うことが好ましくは、副アプリケーションによるフラグを付したメールへの処理終了の際に削除することが好ましい。
【００７４】
また、上記実施形態では、副アプリケーションとして、メールアプリケーションを用いた例で説明したが、副アプリケーションとしては、音楽再生アプリケーションも用いることができる。以下、図７を用いて、副アプリケーションとして、音楽再生アプリケーションを用いる場合について説明する。ここで、図７は、携帯端末装置の動作を説明するための説明図である。また、副アプリケーションとして実行される音声再生アプリケーションは、再生する音声ファイルデータや、再生方法が指定されている。また、上述したように、先に音楽再生アプリケーションを起動させて、再生する音声ファイルデータや、再生方法を指定した後、音楽再生アプリケーションを実行したまま、他のアプリケーションを起動させる。その後、他のアプリケーションを主アプリケーション、音楽再生アプリケーションを副アプリケーションとして実行させてもよい。
【００７５】
まず、主アプリケーションと副アプリケーションの両方が起動されると主制御部２２は、画面７０ａに示すように、表示領域５２に主アプリケーションの画像が表示され、表示領域５４に副アプリケーションの画像を表示部３２に表示させる。ここで、表示領域５４は、表示領域５２よりも小さい画像領域であり、本実施形態では、一行分の文字が表示可能な領域である。また、表示領域５４には、再生している音声ファイルデータに含まれる情報、ファイル名、曲名、アーティスト名、アルバム名等がトグル状にスクロールして表示される。このように、主制御部２２は、音楽再生ファイルを副アプリケーションとして実行することで、表示領域に画像を表示させつつ、再生している音声をレシーバや、スピーカ、イヤホンジャックを介して外部に出力する。なお、この間、主アプリケーションの画像表示処理も継続し、基本的には、操作の大半は主アプリケーション用に受け付ける。
【００７６】
画面７０ａに示す状態で、特定操作、つまり特定キーが押下された場合、つまり、ステップＳ２２でＹｅｓと判定する。つまり、主制御部２２は、音声ファイルデータを再生している間、つまり、音声を出力している間（表示領域５４に内容を表示させている間）に特定キーが押下された音声ファイルデータにフラグを付加する。また、主制御部２２は、音声ファイルデータの再生処理が終了したら、副アプリケーションを終了させる（ステップＳ２８の処理）。その後、主アプリケーションも終了させる（ステップＳ３２の処理）と、フラグを付したデータの処理を行う。具体的には、主制御部２２は、このフラグが付加された音声ファイルデータを他の音声ファイルデータとは区別して処理を行う。具体的には、フラグが付加された音声ファイルデータは、チェックされた曲として記憶し、他の音声ファイルデータは、そのまま、処理を終了する。次に、主制御部２２は、ステップＳ３４の処理を行ったら、画面７０ｄに示すように、待ち受け画面を表示させる（ステップＳ３６）。
【００７７】
ここで、ステップＳ３６で待ち受け画面が表示された画面７０ｄには、主アプリケーションの実行中に受信した新着のメールが２件あることを示す、受信したメールの情報が項目５６ａとして表示されているのに加え、フラグを付したデータがあることを示す、チェックした曲の情報が項目７２として表示される。つまり、ユーザが特定操作を入力した曲の処理画面に移行する選択項目（選択肢）を項目７２として表示させる。なお、画面５０ｄは、２つ（２曲）の音声ファイルデータに対して特定操作が入力された場合を示している。
【００７８】
さらに、画面７０ｂの項目７２がユーザの操作により選択されたら、主制御部２２は、画面７０ｃ示すように、チェックした曲を操作する操作画面を表示部３２に表示させる。なお、操作画面としては、楽曲（曲）をリピート（再生）する、プレイリスト（に）登録（する）、レート変更、等の音声ファイルデータの操作項目が選択可能な画面が表示される。
【００７９】
さらに、画面７０ｃに示す操作項目の１つが選択されると、画面７０ｄに示すように、選択した操作を実行する対象の音声ファイルデータを選択する画面が表示部３２に表示される。操作者は、対象とする音声ファイルデータを選択することで、当該音声ファイルデータを処理することができる。
【００８０】
このように、主アプリケーションを操作しつつ、気になった音声ファイルデータや、要らない音声ファイルデータを特定することができる。また、特定したデータを主アプリケーションの終了後に操作することができる。副アプリケーションで音声ファイルデータを再生する場合も、特定操作でデータを特定することで、メールの場合と同様にデータ管理を容易にすることができる。なお、主制御部２２は、「リピートする」が選択されたら、選択された音声ファイルを指定が解除されるまで、連続再生する設定とする。また、主制御部２２は、「プレイリスト登録」が選択されたら、チェックされた音楽ファイルデータをプレイリストに登録する。なお、プレイリストとは、ユーザが独自に編集して作成する音楽ファイルデータの再生順序のリストである。主制御部２２は、チェックされた音楽ファイルデータを、音楽ファイルデータ全般を管理する第１のデータ管理対象から、選択された一部の音楽ファイルデータを管理する第２のデータ管理対象（プレイリスト）に含める処理を行う。なお、チェックされた音楽ファイルデータが、既に第２のデータ管理対象に含められている場合は、処理を行わない。また、主制御部２２は、「レート変更」が選択されたら、記憶時の圧縮率を変換する操作の画面を立ち上げ、音楽ファイルデータの圧縮率を変更する。
【００８１】
なお、上記実施形態では、表示部３２の画面に再生している音声ファイルデータの情報を表示させたが、表示部３２に情報を表示させないようにしてもよい。つまり、スピーカ等から音声を出力するのみで、表示部３２には、主アプリケーションの画像のみを表示させるようにしても良い。このように、副アプリケーションの画像を表示させなくとも、音声に基づいて、音声ファイルデータを特定、選択することができるため、データを選別することができる。
【００８２】
また、副アプリケーションの種類に関わらず、チェックした項目を一覧で処理できるようにしてもよい。以下、図８を用いて説明する。ここで、図８は、携帯端末装置の動作を説明するための説明図である。
【００８３】
まず、主アプリケーションと第１副アプリケーションの両方が起動されると主制御部２２は、画面８０ａに示すように、表示領域５２に主アプリケーションの画像が表示され、表示領域５４に副アプリケーションの画像を表示させる。なお、画面８０ａでは、音声ファイルデータを再生している場合に表示される情報を示したが、表示される情報は、副アプリケーションによって変化する。例えば、音声ファイルデータの再生中あるいは再生が終了した後、メールを受信すると、表示領域５４には、受信したメールの情報が表示される。
【００８４】
ユーザは、主アプリケーションの操作を行いつつ、第１副アプリケーションの実行により表示される表示領域５４の画像や、出力される音声に基づいて、データを認識し、必要に応じて、特定操作を入力する、つまり、特定キーを押下する。
【００８５】
ここで、本実施形態では、主アプリケーションと第１副アプリケーションの両方の実行中に、４件のメールを受信し（つまり、さらに、第２副アプリケーションを起動し）、第１および第２副アプリケーションで実行されたデータ（メールや曲）のうち５つのデータに対して特定操作が入力される。この状態で、主アプリケーションと第１及び第２副アプリケーションが終了されると、画面８０ｂに示すように、メールを４件受信した旨を示す項目８２と、特定操作を入力した（チェックした）項目が５件あること示す項目８４とが表示部３２に表示される。
【００８６】
項目８２と項目８４とを含む画面８０ｂが表示されている状態で、チェックされた項目を示す項目８４が選択されると、主制御部２２は、画面８０ｃに示すように、チェックした項目を操作する操作画面を表示部３２に表示させる。なお、操作画面としては、上述したメールの操作項目と、音声ファイルデータの操作項目の両方が表示される。具体的には、メールの内容確認、返信する、保護する、削除する等のメール操作項目、及び、楽曲（曲、音声ファイルデータ）をリピート（再生）する、楽曲をプレイリスト（に）登録する、楽曲のレート変更、等の音声ファイルデータの操作項目が選択可能な画面が表示される。その後、主制御部２２は、選択された項目に基づいて、データの選択、処理を行う。
【００８７】
このように、副アプリケーションとして複数のアプリケーションを実行した場合も同様の制御を行うことで、主アプリケーションの実行時に、副アプリケーションで処理される複数のデータから任意のデータを選択することができる。これにより、データの選別をより容易に行うことができる。
【００８８】
次に、上記実施形態では、いずれも特定操作を特定キーの押下としたが、特定操作を複数設定し、その特定操作毎に、処理を切り替えるようにしてもよい。以下、図９を用いて説明する。ここで、図９は、携帯端末装置の動作を説明するための説明図である。なお、図９に示す例では、特定操作としてチェック１、チェック２の２種類の操作が設定されている。例えば、チェック１の操作は、特定キーを一回押下、チェック２の操作は、特定キーを二回押下と設定する。また、チェック１は、音声ファイルデータとメールデータの両方に対して使用する特定操作として設定されており、チェック２は、メールデータに対してのみ使用する特定操作として設定されている。また、図９に示す例は、図８に示す例と同様に、複数のアプリケーションが副アプリケーションとして実行される。
【００８９】
まず、上述と同様に、主アプリケーションと副アプリケーションの両方が起動されると主制御部２２は、画面８０ａに示すように、表示部３２に表示領域５２に主アプリケーションの画像が表示され、表示領域５４に副アプリケーションの画像を表示させる。
【００９０】
ユーザは、主アプリケーションの操作を行いつつ、副アプリケーションの実行により表示される表示領域５４の画像や、出力される音声に基づいて、データを認識し、必要に応じて、特定操作を入力する。本実施形態では、ユーザは、データに応じて、チェック１の特定操作や、チェック２の特定操作を入力する。主制御部２２は、入力された特定操作の種類に応じて、データに付加するフラグを切り替える。
【００９１】
ここで、本実施形態では、主アプリケーションと副アプリケーションの両方の実行中に、８件のメールを受信し、副アプリケーションで実行されたデータ（メールや曲）のうち５つのデータに対してチェック１の特定操作が入力され、２つのデータに対してチェック２の特定動作が入力される。この状態で、主アプリケーションと副アプリケーションが終了されると、画面８０ｄに示すように、メールを８件受信した旨を示す項目８６ａと、チェック１の特定操作を入力した項目が５件あること示す項目８６ｂと、チェック２の特定操作を入力したメールが２件あること示す項目８６ｃとが表示部３２に表示される。
【００９２】
項目８６ａと項目８６ｂと項目８６ｃを含む画面８０ｄが表示されている状態で、チェック１の特定操作が入力された項目に対応した項目８６ｂが選択されると、主制御部２２は、画面８０ｅに示すように、チェック１の特定操作が入力された項目を操作する操作画面を表示部３２に表示させる。なお、操作画面としては、上述したメールの操作項目と、音声ファイルデータの操作項目の両方が表示される。その後、主制御部２２は、選択された項目に基づいて、データの選択、処理を行う。
【００９３】
これに対して、画面８０ｄが表示されている状態で、チェック２の特定操作が入力されたメールに対応した項目８６ｃが選択されると、主制御部２２は、画面８０ｆに示すように、チェック２の特定操作が入力された項目を操作する操作画面を表示部３２に表示させる。なお、この場合も操作画面としては、上述したメールの操作項目と、音声ファイルデータの操作項目の両方が表示される。なお、この場合は、音声ファイルデータ（楽曲）に関する処理を選択不可能にしたり、表示しないようにしたりしてもよい。その後、主制御部２２は、選択された項目に基づいて、データの選択、処理を行う。
【００９４】
このように、特定操作として複数の操作を設定することで、ユーザは、データを複数の項目（カテゴリー）に分けることができる。これにより、データの管理をより容易にすることができる。例えば、重要度の高いデータに対しては、チェック１の特定操作を入力するようにし、必要のない、即時削除しても問題がないデータに対しては、チェック２の特定操作を入力するようにして、区別することで、チェック１に関するデータは、処理しやすい状態で表示させ、チェック２に関するデータは、自動削除するように設定することもできる。
【００９５】
また、副アプリケーションとして、上述したメールアプリケーションと音声再生アプリケーションには、限定されない。例えば、インターネット情報を表示させるアプリケーションも副アプリケーションとして用いることができる。この場合は、例えば、表示部にニュースの項目を表示させ、特定操作が入力されたら、そのニュースの内容の情報を取得できるページ（ホームページ、画面）に移動するためのショートカットキーを選択可能な状態で、待ち受け画面に表示させるようにしてもよい。また、スケジュールを処理するアプリケーションや、画像を表示させるアプリケーション等も用いることができる。また、テレビアプリケーションも副アプリケーションとして用いることができる。この場合は、例えば、特定操作が入力されたら、録画を実行する処理が可能となる。
【産業上の利用可能性】
【００９６】
以上のように、本発明にかかる携帯端末装置は、複数のアプリケーションを並列で処理可能な携帯端末装置に用いることに有用である。
【符号の説明】
【００９７】
１  携帯端末装置
１Ｃ  筐体
１ＣＡ  第１筐体
１ＣＢ  第２筐体
２Ｍ  メインディスプレイ
３  操作キー
４  方向及び決定キー
５  マイク
６  レシーバ
１８  ヒンジ
２２  主制御部（ＣＰＵ）
２４  記憶部（メモリ）
２６  通信部
２８  操作部
２９  外部記憶装置
３０  音声処理部
３２  表示部
３３  表示制御部
【図１】
2011147019.tif 000003
【図２】
2011147019.tif 000004
【図３】
2011147019.tif 000005
【図４】
2011147019.tif 000006
【図５】
2011147019.tif 000007
【図６】
2011147019.tif 000008
【図７】
2011147019.tif 000009
【図８】
2011147019.tif 000010
【図９】
2011147019.tif 000011